(57)【要約】【課題】自動車のサンバイザーに対して簡単に装着できる装飾のための器具を提供することを課題とする。【解決手段】車両用サンバイザー装飾具を、装飾が施される主表面を有する板体からなる本体部１０と、前記主表面１０と反対側の面が、所定の車両用サンバイザーＳの表面又は裏面に接触した状態で、前記本体部１０を前記車両用サンバイザーＳに固定する、前記本体部１０に設けられる固定手段２０とから構成することで、装飾が施される主表面を簡易にサンバイザーＳに固定できるようにする。【選択図】  図２
0003165690.tif 000002
【実用新案登録請求の範囲】
【請求項１】
装飾が施される主表面を有する板体からなる本体部と、
前記主表面と反対側の面が、所定の車両用サンバイザーの表面又は裏面に接触した状態で、前記本体部を前記車両用サンバイザーに固定する、前記本体部に設けられる固定手段と
を有する車両用サンバイザー装飾具。
【請求項２】
前記本体部は前記主表面側に鉄が表出した板体、前記主表面近傍に鉄が内蔵された板体又は前期主表面側に磁性を帯びた板体からなる請求項１に記載の車両用サンバイザー装飾具。
【請求項３】
前記本体部は、両主表面ともに装飾が施され得るものであって、前記固定手段はいずれの主表面が前記車両用サンバイザーの表面又は裏面に接触した状態においても、前記本体部を前記車両用サンバイザーに固定可能に形成される
請求項１又は２に記載の車両用サンバイザー装飾具。
【請求項４】
前記固定手段は、前記車両用サンバイザーの縁部のみに係合する縁部係合体によって構成されるものである請求項１から３のいずれか１項に記載の車両用サンバイザー装飾具。
【考案の詳細な説明】
【技術分野】
【０００１】
本考案は、自動車のサンバイザーを装飾するための器具に関する。
【背景技術】
【０００２】
自動車の持ち主が外装に装飾を施したり、文字を描いたりする場合は、車体やリアウインドウなどにペイントを施したり、カッティングシートを貼り付けたりすることが行われる。また、自動車の内装に装飾をする場合には、ダッシュボードの上に物を置いたり、車内のバックミラーやフロントウインドウから飾りを吊り下げたりすることが行われる。
【考案の概要】
【考案が解決しようとする課題】
【０００３】
ところで、自動車に設けられるサンバイザーは、このような装飾に利用されることは従来なかった。しかし、サンバイザーは、比較的広い面積を有し、また室内および室外の両方から見ることが出来る部分であり、また、装飾をしても邪魔になることがないといった観点から装飾を施すのに好適な場所であると考えられる。
本考案は、このような視点に立ち、自動車のサンバイザーに対して簡単に装着できる装飾のための器具を提供することを課題とする。
【課題を解決するための手段】
【０００４】
上記課題を解決するために、本考案は次のような構成を有する。
請求項１に記載の考案は、装飾が施される主表面を有する板体からなる本体部と、前記主表面と反対側の面が、所定の車両用サンバイザーの表面又は裏面に接触した状態で、前記本体部を前記車両用サンバイザーに固定する、前記本体部に設けられる固定手段とを有する車両用サンバイザー装飾具である。なお、主表面とは、板体を構成するもっとも面積の大きい二面を意味する。また、本体部には当初から装飾が施されている場合のほか、装飾のためのスペースのみがあり、装飾がまだ施されていない場合も含まれる。
請求項２に記載の考案は、前記車両用サンバイザー装飾具において、前記本体部は前記主表面側に鉄が表出した板体、前記主表面近傍に鉄が内蔵された板体又は前記主表面側に磁性を帯びた板体からなるものである。
請求項３に記載の考案は、前記車両用サンバイザー装飾具において、前記本体部は、両主表面ともに装飾が施され得るものであって、前記固定手段はいずれの主表面が前記車両用サンバイザーの表面又は裏面に接触した状態においても、前記本体部を前記車両用サンバイザーに固定可能に形成されるものである。
請求項４に記載の考案は、前記車両用サンバイザー装飾具において、前記固定手段は、前記車両用サンバイザーの縁部のみに係合する縁部係合体によって構成されるものである。
【考案の効果】
【０００５】
請求項１に記載の考案は、装飾が施される主表面がほぼサンバイザーの面と平行な状態で表出するように本体部をサンバイザーの表面又は裏面に密着して固定できるので、当該主表面に装飾を施すことで、簡易にサンバイザーに装飾を行うことができる。
請求項２に記載の考案は、装飾が施される主表面側に磁石や鉄を吸着させることができるので、磁石シートや磁石を背面に設けた立体物などを本体部の主表面側に吸着させることで簡単に、本体部に装飾を施すことができ、また、簡易に装飾を付け替えることができる。
請求項３に記載の考案は、本体部の両主表面を装飾面としてサンバイザーに固定できるので、両主表面に異なる装飾を施こしておけば、表裏をひっくり返すことで簡易に異なる装飾に変更することができる。
請求項４に記載の考案は、固定手段をサンバイザーの縁部のみで係合する縁部係合体により構成することで、サンバイザーの本体部が接触している側と反対側の面においては、縁部以外は邪魔なものが表れないので、当該反対側の面に液晶モニタや鏡が設けられている場合に、固定手段が邪魔になることがない。
【図面の簡単な説明】
【０００６】
【図１】（ａ）は、実施形態１に係る車両用サンバイザー装飾具を示す正面図であり、（ｂ）は（ａ）におけるＡ−Ａ断面図である。
【図２】（ａ）は実施形態１に係る車両用サンバイザー装飾具を装着したサンバイザーを示す正面図であり、（ｂ）は実施形態１に係る車両用サンバイザー装飾具を装着したサンバイザーを示す背面図である。
【図３】実施形態２に係る車両用サンバイザー装飾具の裏面から見た状態を示す斜視図である。
【図４】（ａ）は実施形態２に係る車両用サンバイザー装飾具を装着したサンバイザーを示す正面図であり、（ｂ）は実施形態２に係る車両用サンバイザー装飾具を装着したサンバイザーを示す背面図である。
【考案を実施するための形態】
【０００７】
以下、本考案の実施の形態について、図面を参照しながら説明する。
（実施形態１）
図１（ａ）に本実施形態に係る車両用サンバイザー装飾具Ｘの正面図を示し、図１（ｂ）に（ａ）のA−A断面図を示す。車両用サンバイザー装飾具Ｘは板体からなる本体部１０と、固定紐２０とから構成される。本体部１０は、２枚の略長方形状の鉄板１１，１１の間に断熱シート１２を接着により挟んで固定したものである。本体部１０の短辺の幅は、装着することが想定されるサンバイザーの幅より少しだけ小さくなるように設定され、長辺の幅は、装着することが想定されるサンバイザーの幅よりも小さくなるように設定される。固定紐２０は、上下が一組となり、本体部１０の両側近傍に対称に２組設けられる。各組の上側を構成する上部紐２１は帯状体であり、表面に面ファスナーの係合面が設けられている。各組の下側を構成する下部紐２２も帯状体であり、裏面に面ファスナーの被係合面が設けられている。また、各上下紐は、図１（ｂ）に示すように一方の鉄板１１と断熱シート１２との間に狭持されて固定されている。
【０００８】
次に、以上のような構成を有する車両用サンバイザー装飾具Ｘの使用方法について説明する。図２（ａ）に車両用サンバイザー装飾具Ｘを装着したサンバイザーＳの正面図を示し、図２（ｂ）に車両用サンバイザー装飾具Ｘを装着したサンバイザーＳの背面図を示す。まず、使用者は、図に示すように本体部１０の表面又は裏面をサンバイザーＳの例えば表面に接触させ、上部紐２１、下部紐２２をサンバイザーＳの裏面に回す。これにより、上部紐２１に設けられる面ファスナーの係合面と下部紐２２に設けられる面ファスナーの被係合面が対向するような状態とできるので、これらの面ファスナーの係合面と被係合面を係合させて上部紐２１と下部紐２２とを締結させる。左右それぞれに固定紐２０の上部紐２１、下部紐２２を締結させると図２（ａ）（ｂ）に示すように本体部１０を一方の主表面がサンバイザーＳの表面に沿った状態でサンバイザーＳに固定することができる。本体部１０は鉄板１１が表出しているので、この面に、予め装飾を印刷しておいた磁石シートを貼り付けたり、磁石が設けられた装飾物を貼り付けたりすることで、装飾を行う。また、鉄板１１に直接、文字や絵を描くことで装飾をしてもよい。なお、装飾は、車両用サンバイザー装飾具ＸをサンバイザーＳに固定する前に行なっていてもよい。さらに、固定紐２０は、本体部１０が両主表面のいずれが表出した状態でもサンバイザーＳに固定できるので、鉄板１１に直接文字などを描く場合や磁石シートを貼り付ける場合には、本体部１０の表面と裏面で異なる装飾を施しておき、状況に応じていずれかの面を表出させることで装飾を柔軟に変更可能にできる。また、車両用サンバイザー装飾具Ｘは、サンバイザーＳの表面および裏面のいずれについても固定できることから、サンバイザーＳの車外に向く面に本体部１０を固定すれば車外に対する装飾とすることができ、反対に、サンバイザーＳの車内に向く面に本体部１０を固定すれば車内に対する装飾とすることができる。
なお、本体部１０は内部に断熱シート１２が挟まれているので、本体部１０をサンバイザーＳの社外に向く側に固定し、日光で表面側の鉄板１１が高温になっても、サンバイザーＳまでに熱が至らない。
【０００９】
（実施形態２）
図３（ａ）に実施形態２に係る車両用サンバイザー装飾具Ｙの裏面側から見た斜視図を示し、図３（ｂ）に（ａ）の拡大Ｂ−Ｂ端面図を示す。サンバイザー装飾具Ｙは、想定されるサンバイザーとほぼ同じ正面形状を有する板体からなる本体部３０と、本体部３０の外縁に設けられる外縁係合部４０とから構成される。
本体部３０と外縁係合部４０とはＦＲＰにより一体に形成される。また、ＦＲＰによる形成過程において図３（ｂ）に示すように、本体部３０の表面近傍に鉄板３１が内蔵されるように埋め込まれる。外縁係合部４０は、図３（ｂ）に示すように、サンバイザーの縁部に係合するように、本体部３０の外縁から屈曲した断面鉤状の構造部分である。外縁係合部４０は、本体部３０をサンバイザーに装着した際に、サンバイザーの車体に固定される側の側縁および当該側縁近傍の上下縁、サンバイザー上縁の車体に固定される側と反対側において軸支可能に形成される部分のそれぞれに位置する部分を除く本体部３０の外縁全体に渡って設けられる。
【００１０】
次に、以上のような構成を有する車両用サンバイザー装飾具Ｙの使用方法について説明する。図４（ａ）に車両用サンバイザー装飾具Ｙを装着したサンバイザーＳの正面図を示し、図４（ｂ）に車両用サンバイザー装飾具Ｙを装着したサンバイザーＳの背面図を示す。使用者は、車両用サンバイザー装飾具Ｙを外縁係合部４０が設けられていない側を、サンバイザーＳの車体に固定されている連結軸Ｓ１とは反対の側から指し込み、奥までスライドさせることで図４（ａ）（ｂ）に示すように、本体部３０をサンバイザーＳに固定することができる。この状態で、本体部３０の表面近傍には鉄板３１が内蔵されているので、装飾を印刷した磁石シートを貼りつけたり、磁石を設けた装飾物を貼りつけたりすることで装飾を行なうことができる。また、いうまでもなく本体部３０に直接装飾を描くことで装飾を行なっても良い。なお、装飾は車両用サンバイザー装飾具ＹをサンバイザーＳに装着する前に行なっても良い。
車両用サンバイザー装飾具Ｙは図４（ｂ）に示すようにサンバイザーＳの裏側の主表面が広く開くことになるので、サンバイザーＳの裏側に液晶モニタや鏡が設けられていても、これを塞ぐことがない。なお、サンバイザーＳの裏側に液晶モニタが設けられる場合は、本体部３０に内蔵されている鉄板３１は設けないことが望ましい。
また、車両用サンバイザー装飾具Ｙは同じサンバイザーＳに関しては表面もしくは裏面のみにしか固定できないが、ほとんどの車両用サンバイザーＳは左右対称に設けられているので、車両用サンバイザー装飾具Ｙが左右両方のサンバイザーＳに用意されていれば、左右を入れ替えることで、サンバイザーＳの表面側と裏面側のいずれの側にも車両用サンバイザー装飾具Ｙを固定することができる。即ち、車両用サンバイザー装飾具Ｙも、サンバイザーＳの車外に向く面に本体部１０を固定することで車外に対する装飾とすることができ、サンバイザーＳの車内に向く面に本体部１０を固定することで車内に対する装飾とすることができる。
【００１１】
なお、上記実施形態では、装飾として表出もしくは内蔵させた鉄板に磁石シートや磁石装飾物を吸着させることを例示したが、例えば、本体部にＬＥＤを内蔵させて光る装飾としたり、本体部にホワイトボードを設けて、簡単に文字、絵などを描き消しできるようにしたりなど種々の装飾を採用することができる。
また、上記実施形態では、固定手段として固定紐２０や縁部係合部４０を例示したが、例えば、弾性体からなるサンバイザー縁部を狭持するクリップを本体部の縁部に設けたり、組成変形しやすい金属の帯体を本体部の縁部に設け、この帯体を曲げてサンバイザー縁部に引っ掛けて固定するようにしたり等種々の変更が可能である。
【符号の説明】
【００１２】
Ｘ、Ｙ  サンバイザー装飾具
Ｓ  サンバイザー
１０、３０  本体部
１１、３１  鉄板
２０  固定紐
４０  外縁係合部
【図１】
0003165690.tif 000003
【図２】
0003165690.tif 000004
【図３】
0003165690.tif 000005
【図４】
0003165690.tif 000006
【手続補正書】
【提出日】平成22年8月30日(2010.8.30)
【手続補正１】
【補正対象書類名】実用新案登録請求の範囲
【補正対象項目名】請求項１
【補正方法】変更
【補正の内容】
【請求項１】
装飾が施される主表面を有する板体からなる本体部と、
前記主表面と反対側の面が、所定の車両用サンバイザーの表面又は裏面に接触した状態で、前記本体部を前記車両用サンバイザーに固定する、前記本体部に設けられる固定手段とからなり、
前記本体部は前記固定手段によって前記車両用サンバイザーに固定された状態において、上縁が前記車両用サンバイザーの上縁の全部又は一部に略沿うような形状を有する
車両用サンバイザー装飾具。
【手続補正２】
【補正対象書類名】実用新案登録請求の範囲
【補正対象項目名】請求項２
【補正方法】変更
【補正の内容】
【請求項２】
前記本体部は前記主表面側に鉄が表出した板体、前記主表面近傍に鉄が内蔵された板体又は前記主表面側に磁性を帯びた板体からなる請求項１に記載の車両用サンバイザー装飾具。
【手続補正書】
【提出日】平成22年11月19日(2010.11.19)
【手続補正１】
【補正対象書類名】実用新案登録請求の範囲
【補正対象項目名】全文
【補正方法】変更
【補正の内容】
【実用新案登録請求の範囲】
【請求項１】
装飾が施される主表面を有する板体からなる本体部と、
前記主表面と反対側の面が、所定の車両用サンバイザーの表面又は裏面に接触した状態で、前記本体部を前記車両用サンバイザーに固定する、前記車両用サンバイザーの縁部に引っ掛けるフックからなる、前記本体部に設けられる固定手段と
を有する車両用サンバイザー装飾具。
【請求項２】
前記固定手段を、前記車両用サンバイザーの縁部に引っ掛けるフックに代えて、前記車両用サンバイザーの前記本体部が接触していない側に巻いて固定する、前記本体部の上縁及び下縁に端部が固定される紐状体により形成した
請求項１に記載の車両用サンバイザー装飾具。
【請求項３】
前記本体部は前記主表面側に鉄が表出した板体、前記主表面近傍に鉄が内蔵された板体又は前記主表面側に磁性を帯びた板体からなる請求項１又は２に記載の車両用サンバイザー装飾具。
【請求項４】
前記本体部は、両主表面ともに装飾が施され得るものであって、前記固定手段はいずれの主表面が前記車両用サンバイザーの表面又は裏面に接触した状態においても、前記本体部を前記車両用サンバイザーに固定可能に形成される
請求項２に記載の車両用サンバイザー装飾具。
【手続補正２】
【補正対象書類名】明細書
【補正対象項目名】０００４
【補正方法】変更
【補正の内容】
【０００４】
上記課題を解決するために、本考案は次のような構成を有する。
請求項１又は２に記載の考案は、装飾が施される主表面を有する板体からなる本体部と、前記主表面と反対側の面が、所定の車両用サンバイザーの表面又は裏面に接触した状態で、前記本体部を前記車両用サンバイザーに固定する、前記本体部に設けられる固定手段とを有する車両用サンバイザー装飾具である。なお、主表面とは、板体を構成するもっとも面積の大きい二面を意味する。また、本体部には当初から装飾が施されている場合のほか、装飾のためのスペースのみがあり、装飾がまだ施されていない場合も含まれる。
請求項３に記載の考案は、前記車両用サンバイザー装飾具において、前記本体部は前記主表面側に鉄が表出した板体、前記主表面近傍に鉄が内蔵された板体又は前記主表面側に磁性を帯びた板体からなるものである。
請求項４に記載の考案は、前記車両用サンバイザー装飾具において、前記本体部は、両主表面ともに装飾が施され得るものであって、前記固定手段はいずれの主表面が前記車両用サンバイザーの表面又は裏面に接触した状態においても、前記本体部を前記車両用サンバイザーに固定可能に形成されるものである。
【手続補正３】
【補正対象書類名】明細書
【補正対象項目名】０００５
【補正方法】変更
【補正の内容】
【０００５】
請求項１又は２に記載の考案は、装飾が施される主表面がほぼサンバイザーの面と平行な状態で表出するように本体部をサンバイザーの表面又は裏面に密着して固定できるので、当該主表面に装飾を施すことで、簡易にサンバイザーに装飾を行うことができる。
請求項３に記載の考案は、装飾が施される主表面側に磁石や鉄を吸着させることができるので、磁石シートや磁石を背面に設けた立体物などを本体部の主表面側に吸着させることで簡単に、本体部に装飾を施すことができ、また、簡易に装飾を付け替えることができる。
請求項４に記載の考案は、本体部の両主表面を装飾面としてサンバイザーに固定できるので、両主表面に異なる装飾を施こしておけば、表裏をひっくり返すことで簡易に異なる装飾に変更することができる。